(57)【要約】【課題】様々な競技を行う各アスリートに対して、運動中の身体状態をより総合的にリアルタイムで把握し管理する運動状態管理システムを得る。【解決手段】生体状態測定センサ１１付きＩＣタグ１０と、ＩＣタグ１０と非接触交信可能なリーダー２０と、リーダー２０と交信可能な管理サーバ３０と、該管理サーバと通信回線５０で繋がれた情報利用サーバ６０，７０，８０とを有する。【選択図】図１
2008003964.tif 000002
【特許請求の範囲】
【請求項１】
生体状態測定センサ付きＩＣタグと、前記ＩＣタグと非接触交信可能なリーダーと、前記リーダーと交信可能な管理サーバと、該管理サーバと通信回線で繋がれた情報利用サーバとを有することを特徴とする運動状態管理システム。
【請求項２】
人感センサを備え前記管理サーバと交信可能なＷＥＢカメラを、前記人感センサの感知範囲と、前記リーダーの前記ＩＣタグとの交信可能な範囲とを重ねて設けたことを特徴とする請求項１記載の運動状態管理システム。
【請求項３】
前記生体状態測定センサが、心拍数と血圧と発汗量との測定が可能なことを特徴とする請求項１叉は２に記載の運動状態管理システム。
【請求項４】
前記情報利用サーバの一部との相互交信を可能とし、これらの情報利用サーバから、前記管理サーバからの指定情報に対し、健康状態判定、アドバイス、カウンセリング、トレーニング方法チェック、フォームチェックのいずれか一以上の情報を前記管理サーバが受信することを特徴とする請求項１乃至３のいずれか１項に記載の運動状態管理システム。
【発明の詳細な説明】
【技術分野】
【０００１】
この発明は、運動状態管理システムに関する。特に運動選手（アスリート）等の運動中の身体状態をリアルタイムに把握し管理する運動状態管理システムに関する。
【背景技術】
【０００２】
従来、運動状態管理を行う装置乃至システムとしては、ユーザーに身体運動をさせる装置を備えた運動機関が所有する運動機関端末から、ユーザーが運動している旨を示す運動情報を受信した場合に、健康情報管理サーバは、健康情報データベースに格納されている健康情報に基づいて、ユーザーに適した運動量を算出し、前記運動機関端末に送信する装置が開示されている（例えば、特許文献１参照）。
【０００３】
また、被験者を撮影して姿勢画像を取得するカメラを接続し、身体の姿勢を的確に分析し，診断するための身体の姿勢診断支援システムが開示されている（例えば、特許文献２参照）。
【０００４】
また、被験者の単位時間当たりの脈拍数を測定する携帯型脈拍計により有効な運動をどの程度行っているのかが分かり、効果的な運動指針を得ることができる運動状態管理システムが開示されている（例えば、特許文献３参照）。
【０００５】
また、利用者の身体コンディションを常時測定し、運動に関する適切なアドバイスをリアルタイムで送る、健康促進用途と、心臓疾患等の監視の準医療用途を兼ね備えた健康管理用計測システムで、利用者の装着する測定器で、利用者の心拍数，心電図，血圧，歩数，体温等を測定し、測定データをインターネットに接続された、利用者携帯端末を通じてホストサーバに送る。ホストサーバでは分析、蓄積を行うが、分析には運動強度の概念を用い、利用者の体力の微妙な変動に対応しつつ、最適な運動についてのアドバイスをリアルタイムで行う。また、心臓疾患等の異常を検出した場合にはホストサーバでアラーム発信したり、医療機関側でのカルテへの蓄積等で、利用者容体の監視を行うものが開示されている（例えば、特許文献４参照）。
【０００６】
また、利用者は端末装置を用いて自己の身体に関する身体データを運動管理サーバへ登録する。運動管理サーバは登録された身体データに基づいて当該利用者が行うべき運動の内容を規定した運動プログラムデータを作成し、端末装置へ返信する。端末装置は、腕時計へ転送する。これにより、腕時計では、転送された運動プログラムデータ及びアニメーションデータ等に基づいて当該利用者による運動を支援する機能が実行されるものも開示されている（例えば、特許文献５参照）。
【特許文献１】特開２００５−１００４５４号公報（請求項１２）
【特許文献２】特開２００５−３０１号公報（要約、図１）
【特許文献３】特開２００４−３５０９４７号公報（要約、図１）
【特許文献４】特開２００３−５２６４８号公報（要約）
【特許文献５】特開２００２−２９１９５２号公報（要約）
【発明の開示】
【発明が解決しようとする課題】
【０００７】
しかしながら、上記の特許文献１と特許文献３は、単に運動量を測定し、指針を出すに過ぎない。特許文献２は、身体の姿勢を診断するに過ぎない。特許文献４は、利用者の装着する機器により、常時計測することになっているがアドバイスは、運動強度に基づくものに過ぎない。特許文献５は、運動プログラムデータによる運動の支援であり、リアルタイムの支援ではない。
【０００８】
プロの運動選手であれば、コーチやトレーナ、医師を専任として付けることが容易であるが、アマチュアや特に学生の場合、トレーナ、医師を専任として各選手に付けることは個人の経済的負担も大きく困難である。また、アスリート（競技選手）は、健康体であることが必須であり、さらに過酷なトレーニングを繰り返している。このように過酷なトレーニングを行うことによって、逆に健康を害してしまう可能性もあり、そのような中でアスリート個々が行う競技の種類によってもトレーニング方法が異なっていたり、怪我をしやすい部位などが異なっている。アスリートにとっての最適な運動とは、アスリート以外の健康維持を目的とする利用者の最適な運動とは異なっている。怪我をしない程度のぎりぎりまで鍛えることや、過酷なトレーニングもある意味では最適な運動と言える。
【０００９】
そこで、解決しようとする課題は、様々な競技を行う各アスリートに対して、運動中の身体状態をより総合的にリアルタイムで把握し管理する運動状態管理システムを得ることにある。
【課題を解決するための手段】
【００１０】
上記課題を解決するため、本発明では、生体状態測定センサ付きＩＣタグと、前記ＩＣタグと非接触交信可能なリーダーと、前記リーダーと交信可能な管理サーバと、該管理サーバと通信回線で繋がれた情報利用サーバとを有する運動状態管理システムとする。これによって、様々な競技を行う各アスリートに対して、運動中の生体状態をより総合的にリアルタイムで把握し、これを管理することを可能とできる。さらに、このリアルタイムで把握したデータをもとに、そのデータを分析し健康状態の把握や運動機能や能力の向上に役立てることも可能である。
【００１１】
また、人感センサを備え前記管理サーバと交信可能なＷＥＢカメラを、前記人感センサの感知範囲と、前記リーダーの前記ＩＣタグとの交信可能な範囲とを重ねて設けた運動状態管理システムとすれば、ＷＥＢカメラによりフォームや姿勢のチェック、顔色などの外観のチェックを可能とでき、さらに総合的な状態把握を可能とできる。
【００１２】
また、前記生体状態測定センサが、心拍数と血圧と発汗量との測定が可能な運動状態管理システムとすれば、主要なキー情報となる心拍数と血圧と発汗量をリアルタイムで把握し、的確に生体の状態を捉えることができる。
【００１３】
また、前記情報利用サーバの一部との相互交信を可能とし、これらの情報利用サーバから、前記管理サーバからの指定データ情報に対し、健康状態判定、アドバイス、カウンセリング、トレーニング方法チェック、フォームチェックのいずれか一以上の情報を前記管理サーバが受信する運動状態管理システムとすれば、さらに、有効なアドバイス、カウンセリング、などをまじえて総合的な活用を可能とできる。
【発明の効果】
【００１４】
本発明によれば生体状態測定センサ付きＩＣタグと非接触交信可能なリーダーと、リーダーと交信可能な管理サーバと、通信回線で繋がれた情報利用サーバとを有する運動状態管理システムとすることによって、様々な競技を行う各アスリートに対して、運動中の生体状態をより総合的にリアルタイムで把握し、これを管理することを可能とできる。さらに、このリアルタイムで把握したデータをもとに、そのデータを分析し健康状態の把握や運動機能や能力の向上に役立てることも可能である。
【発明を実施するための最良の形態】
【００１５】
以下本発明の実施の形態を図を参照しつつ説明する。
図１は、本発明による一実施の形態としての運動状態管理システムの構成ブロック図である。
【００１６】
運動状態管理システム１は、生体状態測定センサ１１付きＩＣタグ１０と、このＩＣタグと非接触交信可能なリーダー２０と、このリーダーと交信可能な管理サーバ３０と、該管理サーバ３０とインターネット等の通信回線５０で繋がれた情報利用サーバ６０，７０，８０とを含んで構成されている。さらに、この例では、人感センサ４１を備え管理サーバ３０と交信可能なＷＥＢカメラ４０を、人感センサ４１の感知範囲と、リーダー２０のＩＣタグ１０との交信可能な範囲とを重ねて設けた。
【００１７】
ここで、ＩＣタグ１０の例としては、小型の情報チップのひとつで、ＩＣタグ１０のリーダー２０から発射される電波によって微量な電力が回路内に発生し、その電力で情報を処理し、リーダー２０に送信する。使用できる電波出力の関係などから、ＩＣタグ１０とＩＣタグリーダー２０を近づける必要はあるが、必ずしも接触する必要はない。通信距離は、数メータのものもある。
【００１８】
生体状態測定センサ１１は、この例では、心拍数と血圧と発汗量を測定可能なセンサである。ＩＣタグ１０は、人やモノを識別・管理するシステムであるＲＦＩＤの技術を活用する微小な無線チップである。ＩＣタグ１０は、生体状態測定センサ１１、データ測定開始手段１２（例えば、押しボタン、アスリートの体への取付け圧力、取付けにより動き、体温を感じて測定開始する等）、データ測定終了手段１３（例えば、押しボタン、アスリートの体からの取外し圧力、取外しによる静止、気温を感じて測定終了する等）、測定したデータと共にＩＣタグそのもの所持者のＩＤ情報を記憶する記憶部１４、記憶部のデータを送信する通信手段１５、これらを制御する制御手段１６を有する。
【００１９】
リーダー２０は、ＩＣタグ１０に対して通信を確立する通信手段２１、ＩＣタグ１０が収集したデータを受信する測定データ収集手段２２、管理サーバ３０に対して通信を確立する通信手段２３を含んでなる。リーダー２０は、有線或は無線ＬＡＮ等の通信回線２で管理サーバ３０と結ばれる。
【００２０】
映す映像を有線或は無線ＬＡＮ等の通信回線３を介して送信可能なＷＥＢカメラ４０は、人感センサ４１を備え、人感センサ４１に反応して撮影開始する撮影開始手段４２、人感センサ４１からの反応がなくなり撮影終了する撮影終了手段４３、撮像データを管理サーバ３０へ送信する通信手段４４、これらの制御を行う制御手段４５を含んでなる。
【００２１】
管理サーバ３０は、リーダー２０に対して通信を確立する通信手段３１、測定データをリーダーから収集する測定データ収集手段３２、インターネット等での外部への接続を行う通信手段３４、アクセス可能な登録者かどうかを認証情報により認証確認する認証手段３５、リーダー２０から収集したデータを予め定められた情報利用サーバ６０，７０，８０等に必要に応じて配信する測定データ配信手段３７を含む。さらに、データベース（ＤＢ）３９を備え、データベース（ＤＢ）３９は、ＩＣタグ１０のＩＤ等のデータを記録したＩＣタグ情報テーブル３９ａ、登録者の個人情報のデータを記録した登録者情報テーブル３９ｂ、心拍数や発汗等の生体情報やタイム等のデータを記録した測定データテーブル３９ｃ、ランニング中のフォーム等の映像データを記録した映像データテーブル３９ｄを有する。
【００２２】
情報利用サーバは、必要に応じ選択できるものである。大学等研究機関の情報利用サーバ６０、病院等医療機関の情報利用サーバ７０、ユーザーの情報利用サーバ８０を図１に例示している。しかしこれに限定されるものではない。
【００２３】
各情報利用サーバ６０，７０，８０は、インターネット等の通信回線５０で管理サーバ３０への接続を行う通信手段６１，７１，８１と、アクセス可能な登録者かどうかを認証情報により認証確認する認証手段６２，７２，８２、管理サーバ３０にある収集したデータを必要に応じて取得するデータ収集手段６３，７３，８３を各々有している。
【００２４】
次に上記実施の形態の作用に付き説明する。ここではマラソンのトレーニングを想定して、作用を説明する。
【００２５】
リーダー２０をアスリートが通過するコースの１叉は複数の必要な諸点に、設置する。さらに、人感センサ４１を備えたＷＥＢカメラ４０を、人感センサ４１の感知範囲とリーダー２０のＩＣタグ１０との交信可能な範囲とを重ねて、１叉は複数の必要な諸点に設ける。
【００２６】
アスリートは、生体状態測定センサ１１付きＩＣタグ１０を体に装着してトレーニングに入る。生体状態測定センサ１１は、例えば、体への取付け圧力によりデータ測定開始手段１２が測定を開始させる。この生体状態測定センサ１１による測定データは、ＩＣタグ１０及び所持者のＩＤ情報が予め記憶された記憶部１４に次々に記憶され、ＩＤ情報と共に、通信手段１５からリーダー２０への通信状態の確立を待つ。
【００２７】
アスリートが、コースを走り、ＩＣタグ１０がリーダー２０との交信可能な範囲に入ると、ＩＣタグ１０の通信手段１５とリーダー２０の通信手段２１との通信状態が確立し、記憶部１４のＩＤ情報と測定データとは、リーダー２０の測定データ収集手段２２に移送され、リーダー２０の通信手段２３により、通信回線２を通して管理サーバ３０に送られる。
【００２８】
また、リーダー２０のＩＣタグ１０との交信可能な範囲と人感センサ４１を備えたＷＥＢカメラ４０の人感センサの感知範囲とが重ねられて設置されたＷＥＢカメラ４０が、存在するコースの範囲をアスリートが通過するときは、上記のＩＣタグ１０とリーダー２０との交信による情報に加え、これと時刻で関連付けられるＷＥＢカメラ４０による映像データが、通信回線３を通して管理サーバ３０に送られる。すなわち、アスリートの通過を人感センサ４１が感知し、ＷＥＢカメラ４０は、撮影開始手段４２により、撮影開始、人感センサ４１からの反応がなくなるとＷＥＢカメラ４０は撮影終了手段４３により撮影を終了する。この間の映像データは、通信手段４４により通信回線３を通して管理サーバ３０に送られる。
【００２９】
管理サーバ３０は、リーダー２０とＷＥＢカメラ４０からのデータを通信手段３１で受信し測定データ収集及び映像データ収集手段３２に記憶する。このデータは、通信手段３４への外部からの問合せに対し、その外部者が予め登録された配信先であるかを認証手段３５で認証し、認証されると測定データ配信手段３７から、インターネット網などの通信回線５０を通じて各情報利用サーバ６０，７０，８０に送られる。上記の認証、配信に当たり、データベース３９の各テーブル３９ａ，乃至３９ｄが参照される。
【００３０】
リーダー２０とＷＥＢカメラ４０からのデータを管理サーバ３０から受けた各通信手段６１，７１，８１は、アクセス可能な登録者かどうかを認証手段６２，７２，８２で確認し、データ収集手段６３，７３，８３を取得する。
【００３１】
最後に、トレーニングを終了した生体状態測定センサ１１付きＩＣタグ１０は、アスリートの体から取外され、生体状態測定センサ１１は、例えば、取付け圧力が無くなることでデータ測定終了手段１３が測定を終了させる。
【００３２】
上記の形態では、生体状態測定センサ付きＩＣタグ１０を、図１で、あたかも生体状態測定センサ１１とＩＣタグ１０が一体であるように示したが、生体状態測定センサ１１は、その心拍数と血圧と発汗量などのそれぞれの測定対象に応じて、適切な身体部位につけることが望ましいことから、生体状態測定センサ１１とＩＣタグ１０とは、通信が可能な限り、有線または無線で結ばれた、一体または別体のものであることができる。本願ではこの一体または別体の場合を含め、生体状態測定センサ付きＩＣタグと定義している。
【００３３】
例えば、別体の場合は、ＩＣタグそのものは、その選手のユニフォーム等につけておき、生体状態測定センサは、測定対象に応じた適切な身体部位として、腕や足、首に巻き付けたり、胸部や背中に貼り付けてもよい。
【００３４】
上記によって、生体状態測定センサは、心拍数と血圧と発汗量との測定が可能で、主要なキー情報となる心拍数と血圧と発汗量をリアルタイムで把握し、的確に生体の状態を捉えることができる。様々な競技を行う各アスリートに対して、運動中の生体状態をより総合的にリアルタイムで把握できる。さらに、このリアルタイムで把握したデータをもとに、そのデータを分析し健康状態の把握や運動機能や能力の向上に役立てることも可能である。ＷＥＢカメラを備えることにより、フォームや姿勢のチェック、顔色などの外観のチェック、トレーニング方法の指導やより緻密な身体の運動状態管理、さらに総合的な状態把握を可能とできる。
【００３５】
例えば、カメラで撮影すると、専門家が目視確認すれば、筋肉の動きで足腰などに負担が掛かりすぎていることや、過去に骨折や靭帯損傷などの負傷があることが分かる。
【００３６】
さらに、情報利用サーバの一部との相互交信を可能とし、これらの情報利用サーバから、管理サーバからの指定データ情報に対し、健康状態判定、アドバイス、カウンセリング、トレーニング方法チェック、フォームチェックのいずれか一以上の情報を前記管理サーバが受信する運動状態管理システムとすれば、さらに、有効なアドバイス、カウンセリング、などをまじえて総合的な活用を可能とできる。
【００３７】
すなわち、アスリートの運動中の健康状態や負荷等のデータを、生体状態測定センサ付きＩＣタグを用いたＲＦＩＤ等の運動状態管理システムにより、リアルタイムに把握し、そのデータを分析し健康状態の把握や運動機能や能力の向上に役立てることができる。（１）練習や競技中の運動選手等の生体データやフォームや状態・状況のデータをリアルタイムに取得できる。（２）取得したデータを一元管理し、スポーツ医学研究機関、病院、本人等が利用できるようにできる。（３）健康診断や予防医学、スポーツ医学また、スポーツ選手強化育成のために、情報をきめ細かに集中して活用できる。
【産業上の利用可能性】
【００３８】
以上のように、本発明による運動状態管理システムではアスリートの運動中の健康状態や負荷等のデータを、生体状態測定センサ付きＩＣタグと非接触交信可能なリーダを用い、リアルタイムに把握し、そのデータを分析し健康状態の把握や運動機能や能力の向上に役立てることができるので、アスリートのトレーニング、健康管理に有用であり、産業上の利用可能性は大きい。
【図面の簡単な説明】
【００３９】
【図１】本発明による一実施の形態としての運動状態管理システムの構成ブロック図である。
【符号の説明】
【００４０】
１  運動状態管理システム、２  通信回線、３  通信回線、１０  ＩＣタグ、１１  生体状態測定センサ、１２  データ測定開始手段、１３  データ測定終了手段、１４  記憶部、１５  通信手段、１６  制御手段、２０  リーダー、２１  通信手段、２２  測定データ収集手段、２３  通信手段、３０  管理サーバ、３１  通信手段、３２  測定データ収集及び映像データ収集手段、３４  通信手段、３５  認証手段、３７  測定データ配信手段、３９  データベース（ＤＢ）、３９ａ  ＩＣタグ情報テーブル、３９ｂ  登録者情報テーブル、３９ｃ  測定データテーブル、３９ｄ  映像データテーブル、４０  ＷＥＢカメラ、４１  人感センサ、４２  撮影開始手段、４３  撮影終了手段、４４  通信手段、４５  制御手段、５０  通信回線、６０，７０，８０  情報利用サーバ、（６０  大学等研究機関の情報利用サーバ、７０  病院等医療機関の情報利用サーバ、８０  ユーザーの情報利用サーバ）、６１，７１，８１  通信手段、６２，７２，８２  認証手段、６３，７３，８３  データ収集手段。
【図１】
2008003964.tif 000003